(57)【特許請求の範囲】
【請求項１】
プログラムソース手段とデジタルフロントエンド手段とを有するデジタル放送システムが実行する、ＤＶＤ記録をサポートするデジタル放送方法であって、
前記プログラムソース手段が、少なくとも１つのＤＶＤプログラムのビデオエレメンタリストリームとオーディオエレメンタリストリームとナビゲーションデータストリームとを提供するステップであって、前記ナビゲーションデータは、前記ビデオエレメンタリストリームと前記オーディオエレメンタリストリームとのＤＶＤ記録の時に記録され、前記ビデオ及びオーディオエレメンタリストリームのメニューの生成と、前記ビデオ及びオーディオエレメンタリストリームの再生の時にプログラム再生制御と検索とに用いられるステップと、
前記フロントエンド手段が、前記ビデオエレメンタリストリームとオーディオエレメンタリストリームとナビゲーションデータストリームとをトランスポートストリームにパックするステップと、
前記フロントエンド手段が、前記トランスポートストリームを放送するステップと
を有し、
前記パックするステップはデジタル放送標準規格により実行され、
前記ナビゲーションデータストリームは前記デジタル放送標準規格のプライベートストリームとして前記トランスポートストリームにロードされる、
方法。
【請求項２】
前記ナビゲーションデータはインストリームデータとアウトストリームデータとを含む、請求項１に記載の方法。
【請求項３】
前記インストリームデータは検索用データと再生制御用データとを含む、請求項２に記載の方法。
【請求項４】
前記アウトストリームデータはメニュー生成用データを含む、請求項２に記載の方法。
【請求項５】
前記インストリームデータはネットワーク接続用データを含む、請求項３に記載の方法。
【請求項６】
前記インストリームデータは放送事業者により選択されたビデオデータおよび／またはオーディオデータを含む、請求項２に記載の方法。
【請求項７】
ＤＶＤデジタル放送を受信および記録する方法であって、
放送トランスポートストリームを受信するステップと、
前記トランスポートストリームから少なくとも１つのＤＶＤプログラムのビデオエレメンタリストリームとオーディオエレメンタリストリームとナビゲーションデータストリームとを取得するステップと、
前記ビデオエレメンタリストリームとオーディオエレメンタリストリームとナビゲーションデータストリームとをＤＶＤプログラムストリームに合成するステップと、
前記ＤＶＤプログラムストリームをＤＶＤフォーマットで記録媒体上に記録するステップとを有し、
前記トランスポートストリームはデジタル放送標準規格に従い、前記ナビゲーションデータストリームは前記デジタル放送標準規格のプライベートストリームとして前記トランスポートストリームにロードされる、
方法。
【請求項８】
前記ナビゲーションデータはインストリームデータとアウトストリームデータとを含み、
前記合成するステップは、
前記ナビゲーションデータを前記インストリームデータと前記アウトストリームデータとに分離するステップと、
前記インストリームデータと前記ビデオエレメンタリストリームと前記オーディオエレメンタリストリームとを前記ＤＶＤプログラムストリームに合成し、前記アウトストリームデータをキャッシュするステップとを有し、
前記記録するステップは、
前記アウトストリームデータを前記記録媒体に記録するステップを有する、請求項７に記載の方法。
【請求項９】
前記インストリームデータは検索用データと再生制御用データとを含む、請求項８に記載の方法。
【請求項１０】
前記アウトストリームデータはメニュー生成用データを含む、請求項８に記載の方法。
【請求項１１】
前記インストリームデータはネットワーク接続用データを含む、請求項８に記載の方法。
【請求項１２】
前記インストリームデータは放送事業者により選択されたビデオデータ及び／またはオーディオデータを含む、請求項８に記載の方法。
【請求項１３】
ＤＶＤ記録をサポートするデジタル放送システムであって、
少なくとも１つのＤＶＤプログラムのビデオエレメンタリストリームとオーディオエレメンタリストリームとナビゲーションデータストリームとを生成するプログラムソース手段であって、前記ナビゲーションデータは、前記ビデオエレメンタリストリームと前記オーディオエレメンタリストリームとのＤＶＤ記録の時に記録され、前記ビデオ及びオーディオエレメンタリストリームのメニューの生成と、前記ビデオ及びオーディオエレメンタリストリームの再生の時にプログラム再生制御と検索とに用いられるプログラムソース手段と、
前記プログラムソース手段からの前記ビデオエレメンタリストリームと前記オーディオエレメンタリストリームと前記ナビゲーションデータストリームとをトランスポートストリームにパックし、前記トランスポートストリームを放送のために放送ネットワークに出力するデジタルフロントエンド手段とを有し、
前記デジタルフロントエンド手段は、前記ビデオエレメンタリストリームと前記オーディオエレメンタリストリームと前記ナビゲーションデータストリームとをデジタル放送標準規格に従って前記トランスポートストリームにパックし、
前記ナビゲーションデータストリームは前記デジタル放送標準規格のプライベートストリームとして前記トランスポートストリームにロードされる、
システム。
【請求項１４】
複数の受信手段をさらに有し、その少なくとも１つがＤＶＤ記録機能を有する、請求項１３に記載のシステム。
【請求項１５】
ＤＶＤデジタル放送を受信および記録する装置であって、
放送トランスポートストリームを受信する受信手段と、
前記トランスポートストリームから少なくとも１つのＤＶＤプログラムのビデオエレメンタリストリームとオーディオエレメンタリストリームとナビゲーションデータストリームとを取得する取得手段と、
前記ビデオエレメンタリストリームとオーディオエレメンタリストリームとナビゲーションデータストリームとをＤＶＤプログラムストリームに合成する合成手段と、
前記ＤＶＤプログラムストリームをＤＶＤフォーマットで記録媒体上に記録するＤＶＤ作成・記録手段とを有し、
前記トランスポートストリームはデジタル放送標準規格に従い、前記ナビゲーションデータストリームは前記デジタル放送標準規格のプライベートストリームとして前記トランスポートストリームにロードされる、
装置。
【請求項１６】
前記取得手段は、
前記トランスポートストリームをデマルチプレックスし、プログラムのビデオデータとオーディオデータとナビゲーションデータとを取得するデマルチプレクサと、
前記ビデオデータを復号して前記ビデオエレメンタリストリームを生成するビデオデコーダと、
前記オーディオデータを復号して前記オーディオエレメンタリストリームを生成するオーディオデコーダと、
前記ナビゲーションデータを復号して前記ナビゲーションデータストリームを生成するナビゲーションデータデコーダとを有する、請求項１５に記載の装置。
【請求項１７】
前記ナビゲーションデータはインストリームデータとアウトストリームデータとを含み、
前記装置は、
前記ナビゲーションデータデコーダにより生成された前記ナビゲーションデータストリームを受信し、前記ナビゲーションデータストリームを前記インストリームデータとアウトストリームデータに分離し、前記インストリームデータを前記合成手段に出力し前記アウトストリームデータをバッファに出力する分離手段をさらに有し、
前記合成手段は、前記分離手段からの前記インストリームデータと、前記ビデオデコーダからの前記ビデオエレメンタリストリームと、前記オーディオデコーダからの前記オーディオエレメンタリストリームとを前記ＤＶＤプログラムストリームに合成し、
前記ＤＶＤ作成・記録手段は、前記合成されたＤＶＤプログラムストリームと前記アウトストリームデータとを前記ＤＶＤフォーマットで前記記録媒体に記録する、請求項１５または１６に記載の装置。
【発明の詳細な説明】
【技術分野】
【０００１】
本発明はデジタル放送方法およびシステムに関し、特に、DVD記録をサポートするデジタル放送方法およびシステム、およびそれに関係する受信および記録方法および装置に関する。
【背景技術】
【０００２】
デジタルビデオ方法に係わる標準規格があり、それはDVB（デジタルビデオ放送）標準規格である。DVBによれば、デジタルテレビ放送は、ネットワークで放送するために符号化され、MPEG-2トランスポートストリーム（TSと略記する）としてカプセル化される。加入者は、セットトップボックス等のDVB標準規格に準拠した受信手段により、デジタルテレビプログラムを家庭で受信し視聴できる。一部のパワフルな受信手段は、加入者が再生できるようにローカル記憶装置にプログラムを記録する記録機能もサポートしている。現在の放送システムにおいては、ナビゲーションデータではなくビデオデータとオーディオデータを含む、プログラムのプレゼンテーションデータだけが、フロントエンド手段によりTSに変換される。受信側で記録されたプログラムには、記録システムにより生成されたメニューしかない。一般に、このメニューは記録されたプログラムの内容と直接リンクされていないので、加入者は記録されたプログラムを視聴している時にディスクを見る等の多機能スキャン（feature-rich  scanning）を利用することができない。
【０００３】
他方では、オペレータは、通常、記録したプログラムの加入者による使用に何らかの制限をかけたいと望んでいる。例えば、オペレータは、加入者がコマーシャル等のクリップをスキップできないことを期待し、加入者がWebDVD等のサービスを通じてクリップを視聴する前に一定の認証をパスすることを望む。これにより、標準規格に準拠することを前提として、プログラム制作者のビジネス上の利益を保護し、海賊行為を防止し、記録されたプログラムの内容にネットワークに接続するハイパーリンクを張ろうとしている。プログラムの記録プロセス中に一定の制御情報を加えることにより、これらの必要性をすべて実現することができる。しかし、現行の放送システムはこの問題をまだ解決できていない。
〔発明の開示〕
本発明の目的は、DVD記録をサポートするデジタル放送方法およびシステム、およびそれに関連する記録方法および装置を提供することにより、上記の問題を解決することである。これにより、加入者は自分が好きなプログラムをDVDフォーマットで記録でき、デジタルテレビを視聴している時に多機能スキャニング（feature-rich  scanning）を利用することができる。
【０００４】
本発明の他の目的は、現行のデジタル放送システムと互換性のある、DVD記録をサポートするデジタル放送方法およびシステム、および関連する記録方法および装置を提供することである。
【０００５】
本発明のさらに別の目的は、オペレータや発行者が加入者による記録されたプログラムの使用に一定の制限をかけられる、DVD記録をサポートしたデジタル放送方法およびシステム、および関連する記録方法および装置を提供することである。
【０００６】
本発明の一態様によると、DVD記録をサポートするデジタル放送方法が提供される。この方法は、
ａ）少なくとも１つのDVDプログラムのビデオエレメンタリストリーム、オーディオエレメンタリストリーム、ナビゲーションデータストリームを提供するステップと、
ｂ）前記ビデオエレメンタリストリーム、オーディオエレメンタリストリーム、ナビゲーションデータストリームをトランスポートストリームにパックするステップと、
ｃ）前記トランスポートストリームを放送するステップとを有する。
【０００７】
好ましい一実施形態において、前記トランスポートストリームを生成するステップは、デジタル放送標準規格により実行され、前記ナビゲーションデータストリームは前記デジタル放送標準規格のプライベートストリームとして前記トランスポートストリームにロードされる。
【０００８】
本発明の他の態様によると、DVDデジタル放送を受信および記録する方法が提供される。この方法は、
ａ）放送トランスポートストリームを受信するステップと、
ｂ）前記トランスポートストリームから少なくとも１つのDVDプログラムのビデオエレメンタリストリーム、オーディオエレメンタリストリーム、ナビゲーションデータストリームを取得するステップと、
ｃ）前記ビデオエレメンタリストリーム、オーディオエレメンタリストリーム、ナビゲーションデータストリームをDVDプログラムストリームに合成するステップと、
ｄ）前記DVDプログラムストリームをDVDフォーマットの記録媒体上に記録するステップとを有する。
【０００９】
好ましい一実施形態において、前記トランスポートストリームはデジタル放送標準規格に従い、前記ナビゲーションデータストリームは前記デジタル放送標準規格のプライベートストリームとして前記トランスポートストリームにロードされる。
【００１０】
本発明の他の実施形態によると、DVD記録をサポートするデジタル放送システムが提供され、このシステムは、
ａ）少なくとも１つのDVDプログラムのビデオエレメンタリストリーム、オーディオエレメンタリストリーム、ナビゲーションデータストリームを生成するプログラムソース手段と、
ｂ）前記プログラムソース手段からの前記ビデオエレメンタリストリーム、前記オーディオエレメンタリストリーム、前記ナビゲーションデータストリームをトランスポートストリームにパックし、前記トランスポートストリームを放送のために放送ネットワークに出力するステップを有する。
【００１１】
好ましい一実施形態において、前記デジタルフロントエンド手段は、前記ビデオエレメンタリストリーム、前記オーディオエレメンタリストリーム、前記ナビゲーションデータストリームをデジタル放送標準規格に従って前記トランスポートストリームにパックし、前記ナビゲーションデータストリームは前記デジタル放送標準規格のプライベートストリームとして前記トランスポートストリームにロードされる。
【００１２】
本発明の他の態様によると、DVDデジタル放送を受信および記録する装置が提供される。この装置は、
ａ）放送トランスポートストリームを受信する受信手段と、
ｂ）前記トランスポートストリームから少なくとも１つのDVDプログラムのビデオエレメンタリストリーム、オーディオエレメンタリストリーム、ナビゲーションデータストリームを取得する取得手段と、
ｃ）前記ビデオエレメンタリストリーム、オーディオエレメンタリストリーム、ナビゲーションデータストリームをDVDプログラムストリームに合成する合成手段と、
ｄ）前記DVDプログラムストリームをDVDフォーマットの記録媒体上に記録するDVD作成・記録手段とを有する。
【００１３】
好ましい一実施形態において、前記トランスポートストリームはデジタル放送標準規格に従い、前記ナビゲーションデータストリームは前記デジタル放送標準規格のプライベートストリームとして前記トランスポートストリームにロードされ、前記取得手段は、
ａ）前記トランスポートストリームをデマルチプレックスし、プログラムのビデオデータ、オーディオデータ、ナビゲーションデータを取得するデマルチプレクサと、
ｂ）前記ビデオデータを復号して前記ビデオエレメンタリストリームを生成するビデオデコーダと、
ｃ）前記オーディオデータを復号して前記オーディオエレメンタリストリームを生成するオーディオデコーダと、
ｄ）前記ナビゲーションデータを復号して前記ナビゲーションデータストリームを生成するナビゲーションデータデコーダとを有する。
【００１４】
本発明により構成されたデジタル放送システムの出力端において、デジタルビデオプログラムの前記ビデオデータと前記オーディオデータのみでなく、前記ナビゲーションデータがパックされ、放送トランスポートストリームになる。よって、デジタル放送システムの受信端にいる加入者は、リアルタイムでプログラムを受信・視聴する時に、本発明により提供された受信手段により、DVDフォーマットでプログラムディスクを記録・作成できる。このように、本デジタル放送システムは、より個人化されたサービスを提供することができる。
【００１５】
現行のDVD標準規格を利用して、ナビゲーションデータを現行の標準規格のプライベートデータストリームとすることにより、本発明で提案される放送システムは従来の放送システムと完全に互換的とすることができる。よって、従来のデジタルビデオ受信手段は、本発明の放送システムにより送信されたプログラムを受信・記録できるが、本発明により提供される多機能スキャン（feature-rich  scanning）は提供することができない。
【００１６】
放送でナビゲーションデータを送信することにより、放送オペレータは、多機能スキャンを提供しても、加入者が記録したDVDプログラムに一定の制限をかけることができる。例えば、再生制御データを使用することにより、コマーシャル等のプログラムのクリップの一部を再生中に、早送りやスキップ等の動作を制限することができる。さらにまた、ナビゲーションデータにハイパーリンクデータを加えることにより、より多数の加入者がウェブサイトを訪問し、ネットワークを介してクリップを視聴する権限を取得する。他の実施例として、放送されるプログラムにコマーシャルを容易に挿入できるように、コマーシャルのビデオデータとオーディオデータをナビゲーションデータに加えてもよい。それゆえ、本発明は制作者とオペレータのビジネス上の利益を保護する効果的な方法を提供する。
【発明を実施するための最良の形態】
【００１７】
添付した図面と実施形態と併せて、本発明の原理を以下に説明する。以下の内容は本発明を説明するために使用されるものであり、本発明を限定するものではない。
【００１８】
図１は、本発明によるデジタル放送システムのTSの構造を示す概略図である。現在のデジタル放送システムのTSの構造との違いは、現在のビデオストリームおよびオーディオストリームだけでなく、ナビゲーションデータストリームもTSに含まれていることである。
【００１９】
DVDフォーマットで記録されたプログラムについてのすべての情報がナビゲーションデータストリームに含まれている。ナビゲーションデータストリームは、通常、インストリームデータとアウトストリームデータを含む。アウトストリームデータは、一般的に、メニューを生成するためのデータを含む。そのデータはプログラムの再生とは独立している。アウトストリームデータはプログラムのストリームに組み込まれずに比較的独立に記録することができる。インストリームデータは、DVDプログラムを記録するとき、そのプログラムのストリームに組み込まれるデータである。インストリームデータは、通常、DVD論理フォーマットの各VOBUとVOBの制御パケットの制御データを含む。これらの制御データは、DVDプログラムの検索用データと再生制御データを含み、ビデオデータエレメンタリストリームとオーディオデータエレメンタリストリームに挿入され、DVDプログラムが記録されるとき対応するビデオエレメンタリデータとオーディオエレメンタリデータとともに記録される必要がある。
【００２０】
例えば、再生制御データは、VOBやサブジェクトの再生が終了した時にどこに行くかという情報や、早送りや巻き戻し（fast-backward）の動作が実行された時にスキップアドレスを表示するための情報や、いくつかのVOBUやVOBの早送り再生を制限する情報などである。本発明で提案されたシステムにおいて上記のナビゲーションデータを放送するので、加入者はそのナビゲーションデータを受信した後でそれをDVDフォーマットでプログラムを記録するために使用することができる。それゆえ、加入者は、記録したプログラムを再生する時にDVDディスクと同じ多機能スキャンを利用するとき、放送オペレータや発行者からのプログラム再生に対する管理を受け入れなければならない。例えば、オペレータや発行者のビジネス上の利益を守るために、再生中にコマーシャルをスキップすることができない。
【００２１】
上記の検索用データと再生制御用データに加えて、インストリームデータにはWebDVD標準規格によるハイパーリンクデータが含まれていてもよい。これにより、加入者はプログラムの視聴時に興味があれば関係するウェブサイトを便利に閲覧したり、一定のクリップを視聴することを許可する権限情報を取得することができる。さらにまた、インストリームデータにオーディオデータやビデオデータを直接入れることもよくあり、オペレータはプログラムに入れたいものを挿入することが容易になる。
【００２２】
必ずしも必要ではないが、本発明によるTSは現在のDVB標準規格ともよく調和しており、現行のデジタル放送システムと互換性がある。この目的を達成するため、本発明においてビデオデータとオーディオデータは現行標準規格によりパックされており、現行のDVB標準規格で規定されているプライベートデータストリームがナビゲーションデータをロードするために使用されている。すなわち、ナビゲーションデータストリームは、標準規格で決められたプライベートデータストリームのPIDを用いて、標準規格のプライベートデータストリームの仕様に基づきパックされる。本発明の着想によれば、現行のDVB標準規格により本発明のTSをどのように生成するかは当業者には明らかなので、ここでは詳しく説明しない。
【００２３】
図２は、本発明によるデジタルラジオシステムの構造を示す概略図である。本システムはプログラムソース手段１０を有し、このプログラムソース手段１０はDVDプログラムのビデオエレメンタリストリーム、オーディオエレメンタリストリーム、ナビゲーションデータストリームを提供する。本システムはまたデジタルフロントエンド手段２０を有し、このデジタルフロントエンド手段２０は放送用のトランスポートストリームを生成するために、プログラムソース手段１０から出力されたビデオエレメンタリストリーム、オーディオエレメンタリストリーム、およびナビゲーションデータストリームをパックする。本システムはまた放送ネットワーク３０を有し、この放送ネットワーク３０はデジタルフロントエンド手段２０により生成されたTSを、一般のデジタルテレビ受信手段４０やDVD記録をサポートしている受信・記録手段５０に放送する。プログラムソース手段１０は、複数のプログラムを生成する装置でもよく、物理的に分離している複数のプログラムソース手段であってもよいことを指摘しておく。デジタルフロントエンド手段２０は、マルチプレクサ、デジタルモジュレータ等を含む一組の装置である。一方、放送ネットワーク３０は、一般の無線放送ネットワーク、衛星放送ネットワーク、ケーブル放送ネットワーク、インターネット等を含む、さまざまな無線または有線のネットワークとして実施することができる。
【００２４】
本発明により提供されるシステムにおいて、一般的なデジタルテレビジョン受信手段４０は従来と同様に本発明のTSのデジタルテレビ信号を受信することができる。ナビゲーションデータストリームを識別し復号する装置を有さないので、受信手段４０は受信したTSからビデオデータおよびオーディオデータだけを復号し、従来の方法でそのプログラムをプレイしたり記録したりする。本発明により提供されるシステムは下方互換性を有する。
【００２５】
図３は、図２に示した本発明により提供されるDVD記録をサポートする受信・記録手段５０の原理を示す図である。図３において、本発明と関係する部分のみを示した。他の部分は現行のデジタル放送受信手段と同様であり、ここでは詳細は省略する。
【００２６】
最初に受信手段５１が放送TSを受信し、デマルチプレクサ５２が１つのプログラムを選択する。選択されたプログラムをプログラムNとする。プログラムNのオーディオパケット、ビデオパケット、ナビゲーションデータはオーディオデコーダ５３、ビデオデコーダ５４、ナビゲーションデータデコーダ５５にそれぞれ送られる。オーディオデコーダ５３はオーディオパケットを復号し、オーディオエレメンタリストリームを得る。ビデオデコーダ５４はビデオパケットを復号し、ビデオエレメンタリストリームを得る。ナビゲーションデータデコーダ５６はナビゲーションデータを復号し、ナビゲーションデータストリームを得る。オーディオエレメンタリストリームとビデオエレメンタリストリームはマルチプレクサ５７に送られる。一方、ナビゲーションデータストリームはナビゲーションデータ分離モジュール５６に送られ、インストリームデータとアウトストリームデータに分離される。インストリームデータはマルチプレクサ５７に送られ、再生タイミング関係に従ってオーディオエレメンタリストリームとビデオエレメンタリストリームと合成され、DVDプログラムストリームになる。アウトストリームデータはバッファ５８に送られる。その後、生成されたDVDプログラムストリームデータとアウトストリームデータはDVD作成・記録モジュール５９に送られ、DVD標準規格に従ったデータを生成する。そのデータは、ディスク等の記録媒体に記録される。ここで、アウトストリームデータを使用して、再生中にユーザのためにメニューを生成する。
【００２７】
本発明に関する実施問題については詳細には説明しなかったが、当業者には本発明の宣言の下にこれらの事項はうまく解決できることは明らかであろう。
【００２８】
上記の説明は、添付した図面と共に本発明の原理を説明するものであり、本発明を限定するものではない。本発明の範囲は添付した請求項により決定される。
【図面の簡単な説明】
【００２９】
【図１】本発明によるデジタル放送システムのTSの構造を示す図である。
【図２】本発明によるデジタル放送システムを示す図である。
【図３】本発明により提供される受信および記録手段を示すブロック図である。
【図１】
0004613070.tif 000002
【図２】
0004613070.tif 000003
【図３】
0004613070.tif 000004